Podtech/llm-jp-corpus-v4-ja_patent huggingface dataset:
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
光学システムであって：
第１の主要面及び前記第１の主要面に対して平行な第２の主要面を含む複数の面を有し、前記第１の主要面及び前記第２の主要面は、それぞれ、第１の平面及び第２の平面を規定し、前記第１の平面と前記第２の平面との間の寸法は基材厚として規定される、光伝達基材；
前記基材厚よりも大きな厚さを有する結合領域を形成するように前記光伝達基材と光学的に統合される光学プリズムであり、前記結合領域は、全内部反射によって前記基材の中で伝搬するように、前記基材の中に所与の視野を有する光波を結合させるための結合面を提供する、光学プリズム；及び
前記基材に関係し、前記基材の外に光波を結合させるように構成されている、結合装置；
を有し、
前記結合領域は、前記第１の平面及び前記第２の平面に対して斜めの方向で前記結合面を提供し、前記結合面は前記基材厚の外側から前記基材厚の少なくとも一部を横切って延びる連続的な平面であり、前記結合面は、光波が、前記結合面を通って前記結合領域に入り、前記主要面のうちの一つからの全内部反射の前に反射することなく前記結合領域を横切るように方向付けられている、
光学システム。
【請求項２】
前記視野は、前記基材の中に結合される光波の最低角度及び最高角度によって規定される、請求項１に記載の光学システム。
【請求項３】
前記基材の前記複数の面は傾斜端を含み、前記プリズムの第２の面は、前記傾斜端に隣接しており、前記基材の前記傾斜端と、前記基材の前記主要面の法線との間の角度は、前記視野の前記最高角度よりも大きい、請求項２に記載の光学システム。
【請求項４】
前記プリズムの第３の面は、前記基材厚の外側の前記結合面の先端から、前記主要面のうちの一つに延び、前記プリズムの前記第３の面と、前記基材の前記主要面の法線との間の角度は、前記視野の前記最低角度よりも小さい、請求項２に記載の光学システム。
【請求項５】
前記結合面は、光波の中心波に実質的に垂直である、請求項１に記載の光学システム。
【請求項６】
前記視野から結合した光波は、縞模様又は隙間を形成することなく、前記基材の前記主要面全体を実質的に覆う、請求項１に記載の光学システム。
【請求項７】
コリメートモジュールを更に有する、請求項１に記載の光学システム。
【請求項８】
前記コリメートモジュールは、少なくとも一つの光波入口面、少なくとも一つの光波出口面、及び複数の外部面を有する光波伝達材料から成る、請求項７に記載の光学システム。
【請求項９】
前記結合面は、前記コリメートモジュールの前記出口面に隣接して配置されている、請求項８に記載の光学システム。
【請求項１０】
前記コリメートモジュールは：
前記外部面の一つにおいて光学装置によって支えられる、少なくとも一つの光波反射面；
外部面の一部分で光学装置によって支えられる、少なくとも一つの位相差板；
前記位相差板の少なくとも一つの少なくとも一部分を覆う、少なくとも一つの光波コリメートコンポーネント、及び
前記光波入口面又は前記光波出口面の少なくとも一つに対して斜めに置かれた、少なくとも一つの光波偏光ビームスプリッター、
を有する、請求項８に記載の光学システム。
【請求項１１】
表示光源を更に有する、請求項７に記載の光学システム。
【請求項１２】
前記表示光源から出る光波は、前記コリメートモジュールによってコリメートされ、前記結合領域を通って前記基材の中に結合される、請求項１１に記載の光学システム。
【請求項１３】
前記プリズムの屈折率は、前記基材の屈折率と同様である、請求項１に記載の光学システム。
【請求項１４】
前記プリズムの屈折率は、前記基材の屈折率と異なる、請求項１に記載の光学システム。
【請求項１５】
前記プリズムの屈折率は、コリメートモジュールの屈折率と実質的に異なる、請求項１に記載の光学システム。
【請求項１６】
光波は、視る者の目の中に、少なくとも一つの部分反射面によって、前記基材から外に結合される、請求項１に記載の光学システム。
【請求項１７】
視る者の目は、前記基材の前記結合面が傾けられる側と同じ側に位置する、請求項１６に記載の光学システム。
【請求項１８】
視る者の目は、前記基材の前記結合面が傾けられる側の反対側に位置する、請求項１６に記載の光学システム。
【請求項１９】
コリメートモジュールは、前記基材の前記二つの主要面を越えて実質的に延ばされる、請求項１６に記載の光学システム。
【請求項２０】
前記結合装置は、
前記基材の外に光波を結合させるための、前記基材内に位置する少なくとも一つの部分反射面であり、該部分反射面は、前記第１の平面及び前記第２の平面に対して斜めの角度に方向付けられている、部分反射面、
を有する、請求項１に記載の光学システム。
【請求項２１】
前記プリズムの第３の面は、前記基材厚の外側の前記結合面の先端から、前記主要面のうちの一つに延び、前記第３の面及び前記主要面は境界線で接し、該境界線は、前記視野の前記最高角度及び前記最低角度の両方について、前記結合面を通る直接的な照射、及び前記結合面を通り、前記主要面のうちの反対のものから反射された照射の両方によって照射される、請求項２に記載の光学システム。
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
ターゲットアプリケーションをアクティブ化するための、電子デバイス中で実行される方法において、
前記ターゲットアプリケーションをアクティブ化するためのアクティブ化キーワードと、前記ターゲットアプリケーションの機能を示すスピーチコマンドの少なくとも一部分を含んでいるかもしれない、前記アクティブ化キーワードに続く一部分とを含む、入力サウンドストリームを受け取ることと、
前記入力サウンドストリームから前記アクティブ化キーワードを検出することと、
前記アクティブ化キーワードを検出することに応答して、前記アクティブ化キーワードに続く一部分を少なくとも含む前記入力サウンドストリームの一部分を、バッファメモリ中にバッファリングすることを開始することと、
バッファリングすることを開始した後、前記入力サウンドストリームのバッファリングされた一部分に基づいて、前記ターゲットアプリケーションをアクティブ化するか否かを確認し、前記ターゲットアプリケーションのアクティブ化が確認される場合、前記ターゲットアプリケーションをアクティブ化し、前記ターゲットアプリケーションの機能を実行することとを含む方法。
【請求項２】
前記アクティブ化キーワードを検出することは、前記入力サウンドストリーム中の前記アクティブ化キーワードの一部分から前記アクティブ化キーワードを検出することを含み、
前記入力サウンドストリームの一部分をバッファリングすることは、前記アクティブ化キーワードの一部分から前記アクティブ化キーワードを検出することに応答して、前記入力サウンドストリームの一部分をバッファリングすることを含む請求項１記載の方法。
【請求項３】
前記入力サウンドストリーム中の前記アクティブ化キーワードの終了を検出することをさらに含み、
前記入力サウンドストリームの一部分をバッファリングすることは、前記アクティブ化キーワードの終了を検出することに応答して、前記入力サウンドストリームの一部分をバッファリングすることを含む請求項１記載の方法。
【請求項４】
前記入力サウンドストリーム中の前記スピーチコマンドの開始を検出することをさらに含み、
前記入力サウンドストリームの一部分をバッファリングすることは、前記スピーチコマンドの開始を検出することに応答して、前記入力サウンドストリームの一部分をバッファリングすることを含む請求項１記載の方法。
【請求項５】
前記ターゲットアプリケーションをアクティブ化するか否かを確認することは、前記入力サウンドストリームのバッファリングされた一部分がスピーチを含むか否かを決定することを含む請求項１記載の方法。
【請求項６】
前記ターゲットアプリケーションをアクティブ化するか否かを確認することは、前記入力サウンドストリームのバッファリングされた一部分中のスピーチが、前記アクティブ化キーワードの話者を示すか否かを決定することをさらに含む請求項５記載の方法。
【請求項７】
前記ターゲットアプリケーションをアクティブ化するか否かを確認することは、前記入力サウンドストリームのバッファリングされた一部分の信号対ノイズ比（ＳＮＲ）が、予め定められたしきい値を超えるか否かを決定することを含む請求項１記載の方法。
【請求項８】
前記ターゲットアプリケーションをアクティブ化するか否かを確認することは、前記入力サウンドストリームのバッファリングされた一部分が、前記アクティブ化キーワードを無効にすることを示す、予め定められた無効コマンドを含むか否かを決定することを含む請求項１記載の方法。
【請求項９】
前記アクティブ化キーワードを検出することは、前記入力サウンドストリーム中の前記アクティブ化キーワードの一部分から前記アクティブ化キーワードを検出することを含み、
前記ターゲットアプリケーションをアクティブ化することは、
前記アクティブ化キーワードの一部分から前記アクティブ化キーワードを検出することに応答して、前記ターゲットアプリケーションをロードすることと、
前記ターゲットアプリケーションのアクティブ化を確認することに応答して、前記ターゲットアプリケーションを起動することとを含む請求項２記載の方法。
【請求項１０】
前記ターゲットアプリケーションをアクティブ化することは、
前記入力サウンドストリームのバッファリングされた一部分から前記スピーチコマンドを認識することと、
前記スピーチコマンドに応答して、前記ターゲットアプリケーションの機能を実行することとを含む請求項１記載の方法。
【請求項１１】
ターゲットアプリケーションをアクティブ化するための命令を具備する非一時的コンピュータ読み取り可能記憶媒体において、前記命令は、電子デバイスのプロセッサに、先行する請求項のうちのいずれか１項にしたがう方法を実行させる媒体。
【請求項１２】
ターゲットアプリケーションをアクティブ化する電子デバイスにおいて、
前記ターゲットアプリケーションをアクティブ化するためのアクティブ化キーワードと前記ターゲットアプリケーションの機能を示すスピーチコマンドとを含む、入力サウンドストリームを受け取る手段と、
前記入力サウンドストリームから前記アクティブ化キーワードを検出し、前記ターゲットアプリケーションをアクティブ化するか否かを確認し、前記ターゲットアプリケーションの機能を実行する手段と、
前記アクティブ化キーワードを検出することに応答して、前記ターゲットアプリケーションをアクティブ化するか否かの確認の前に、前記スピーチコマンドの一部分を少なくとも含んでいるかもしれない、前記アクティブ化キーワードに続く、前記入力サウンドストリームの一部分を記憶することを開始する手段と、
前記ターゲットアプリケーションのアクティブ化を確認した後、前記ターゲットアプリケーションをアクティブ化する手段とを具備する電子デバイス。
【請求項１３】
前記アクティブ化キーワードを検出し、前記ターゲットアプリケーションをアクティブ化する手段は、前記入力サウンドストリーム中の前記アクティブ化キーワードの一部分から前記アクティブ化キーワードを検出するように構成され、
前記入力サウンドストリームの一部分を記憶する手段は、前記アクティブ化キーワードの一部分から前記アクティブ化キーワードを検出することに応答して、前記入力サウンドストリームの一部分を記憶するように構成されている請求項１２記載の電子デバイス。
【請求項１４】
前記アクティブ化キーワードを検出し、前記ターゲットアプリケーションをアクティブ化する手段は、
前記入力サウンドストリームの記憶された一部分に基づいて、前記ターゲットアプリケーションをアクティブ化するか否かを確認するようにと、
前記入力サウンドストリーム中の前記アクティブ化キーワードの一部分から前記アクティブ化キーワードを検出するようにと、
前記アクティブ化キーワードの一部分から前記アクティブ化キーワードを検出することに応答して、前記ターゲットアプリケーションをロードするようにと、
前記ターゲットアプリケーションのアクティブ化を確認することに応答して、前記ターゲットアプリケーションを起動するように構成されている請求項１２記載の電子デバイス。
【請求項１５】
前記受け取る手段と、前記検出する手段と、前記開始する手段は、移動体通信デバイスに統合されている請求項１２記載の電子デバイス。
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
放射率が０．２以下の第１の主表面を有する基材と、
前記第１の主表面上の露出したハードコートと、を含み、
前記露出したハードコートが、界面活性剤を含むバインダーを含み、
前記露出したハードコートの厚さが２００ｎｍ未満であり、かつ、実施例に記載のリニア摩耗試験によって測定される擦傷度（scratch rating）が１以下である、物品。
【請求項２】
前記露出したハードコートが、ナノ粒子を、前記露出したハードコートの総重量を基準として、４０〜９５重量％の範囲で更に含み、前記ナノ粒子が２ｎｍ〜１００ｎｍの範囲の平均粒径を有する、請求項１に記載の物品。
【請求項３】
２ｎｍ〜２０ｎｍの範囲の平均粒径を有するナノ粒子の平均粒径と、２０ｎｍ〜１００ｎｍの範囲の平均粒径を有するナノ粒子の平均粒径との比が、１：２〜１：２００の範囲内である、請求項２に記載の物品。
【請求項４】
前記ナノ粒子が、ＳｉＯ２、ＺｒＯ２、又はＳｂドープＳｎＯ２ナノ粒子のうちの少なくとも１つを含む、請求項２又は３に記載の物品。
【請求項５】
請求項２〜４のいずれか一項に記載のナノ粒子を含む物品を製造する方法であって、
放射率が０．２以下の第１の主表面を有する基材を提供することと、
混合物を、前記第１の主表面上にコーティングすることと、ただし、前記混合物は、調合物の総重量を基準として、５重量％〜６０重量％の範囲の、アクリル系バインダー、（メタ）アクリル系オリゴマーバインダー、又はモノマーバインダーのうちの少なくとも１つ（前記バインダーは界面活性剤を含む）と、４０〜９５重量％の範囲のナノ粒子（前記ナノ粒子は、２ｎｍ〜１００ｎｍの範囲の平均粒径を有する）と、を含む調合物を含有する、
前記アクリル系バインダー、（メタ）アクリル系オリゴマーバインダー、又はモノマーバインダーのうちの少なくとも１つを硬化させて前記物品を提供することと、を含む、方法。
【請求項６】
請求項１に記載のナノ粒子を含まない物品を製造する方法であって、
放射率が０．２以下の第１の主表面を有する基材を提供することと、
界面活性剤を含む、アクリル系バインダー、（メタ）アクリル系オリゴマーバインダー、又はモノマーバインダーのうちの少なくとも１つを、前記主表面上にコーティングすることと、
前記アクリル系バインダー、（メタ）アクリル系オリゴマーバインダー、又はモノマーバインダーのうちの少なくとも１つを硬化させて前記物品を提供することと、を含む、方法。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
パレットを高さ方向に移動可能なパレットリフトと、
前記パレットリフトの上側に近接して配置されそれにより前記パレットリフトに支えられるパレット上に物体を配置可能なパレタイジング装置と、
前記パレタイジング装置の上側の少なくとも一部が第１の支持表面上に立つ操作者にアクセス可能であるように前記パレタイジング装置の下に第１の距離で配置される前記第１の支持表面と、
前記パレタイジング装置の下側の少なくとも一部が第２の支持表面上に立つ操作者にアクセス可能であるように前記第１の支持表面の下に第２の距離で配置される前記第２の支持表面と、を備える、アセンブリ。
【請求項２】
前記パレタイジング装置は物体をその上に形成するための形成表面を備え、前記第１の支持表面が前記形成表面の下に配置される前記第１の距離は実質的に０．５〜１．１メートルである、請求項１に記載のアセンブリ。
【請求項３】
前記第１の距離は実質的に０．６〜１．０メートルである、請求項２に記載のアセンブリ。
【請求項４】
前記第１の距離は実質的に０．７〜０．９メートルである、請求項３に記載のアセンブリ。
【請求項５】
前記第２の支持表面が前記第１の支持表面の下に配置される前記第２の距離は最大１．５メートルである、請求項１から４のいずれか１つに記載のアセンブリ。
【請求項６】
前記第２の距離は最大１．４メートルである、請求項５に記載のアセンブリ。
【請求項７】
前記第２の距離は最大１．３メートルである、請求項６に記載のアセンブリ。
【請求項８】
前記第１の支持表面は少なくとも１つの長手方向部分および前記長手方向部分に横断的に配置される少なくとも１つの横断部分とを備え、前記第１の支持表面は前記パレタイジング装置の少なくとも２つの側面と隣接しこの後者を操作者にアクセス可能とする、請求項１から７のいずれか１つに記載のアセンブリ。
【請求項９】
前記第２の支持表面は少なくとも１つの長手方向部分および前記長手方向部分に横断的に配置される少なくとも１つの横断部分とを備え、前記第２の支持表面は前記パレットリフトに少なくとも２つの側面において隣接し前記パレットリフト上に存在するパレットを操作者にアクセス可能とする、請求項１から８のいずれか１つに記載のアセンブリ。
【請求項１０】
前記第２の支持表面は１またはそれ以上のさらなる長手方向部分が提供され少なくとも３つの側面において前記パレットリフトを少なくとも部分的に取り囲む、請求項９に記載のアセンブリ。
【請求項１１】
前記第１の支持表面および前記第２の支持表面の前記横断部分は互いにずれて配置され、前記第１の支持表面は前記第２の支持表面の前記横断部分上に凹部を有する、請求項８から１０のいずれか１つに記載のアセンブリ。
【請求項１２】
少なくとも１つの長手方向部分は前記物体が前記パレタイジング装置に供給される前記パレタイジング装置の供給側に提供される、請求項８から１１のいずれか１つに記載のアセンブリ。
【請求項１３】
１またはそれ以上の階段および／または梯子が前記第１の支持表面と前記第２の支持表面との間に設けられる、請求項１１または１２に記載のアセンブリ。
【請求項１４】
前記第１の支持表面の少なくとも１つの横断部分および／または前記第２の支持表面の少なくとも１つの横断部分は２つの隣接して配置されるパレットリフトおよび／またはパレタイジング装置がそこからアクセス可能なよう表面エリアを備える、請求項８から１３のいずれか１つに記載のアセンブリ。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
タイヤ圧調整用の形状記憶を備えたチャンバであって、一端で媒質吐出点に接続されるとともに、他端で媒質源に接続されており、
当該チャンバ（Ｋ）および／またはそのキャリアの壁の少なくとも一部を横切って、ファイバが０．００１〜２００ｍｍの間隔で設けられている
ことを特徴とするチャンバ。
【請求項２】
前記ファイバは、当該チャンバ（Ｋ）の相対する壁を接続している
請求項１に記載のチャンバ。
【請求項３】
前記ファイバは、当該チャンバ（Ｋ）の内径の壁を当該チャンバ（Ｋ）の外径の壁に相互接続している
請求項１または２に記載のチャンバ。
【請求項４】
前記ファイバは、当該チャンバ（Ｋ）のブリッジ（Ｗ）の機能、および／またはタイヤ（Ｐ）の機能、および／またはインナチューブ（Ｄ）の機能、および／または前記タイヤの変形荷重が当該チャンバ（Ｋ）にかかる影響以外で当該チャンバ（Ｋ）がつぶれることを防ぐ付帯構造物の機能を構成している
請求項１ないし３のいずれかに記載のチャンバ。
【請求項５】
実際の当該チャンバの下に、および／または当該チャンバの一部として、当該チャンバが下からのインナチューブ自体の圧力によって閉じることを防ぐベルトが設けられている
請求項１ないし４のいずれかに記載のチャンバ。
【請求項６】
前記ベルトは、ファイバを含んでいる
請求項５に記載のチャンバ。
【請求項７】
当該チャンバは、当該チャンバの両サイドに定着されたブリッジを備え、これにより、当該チャンバは、広がらないように保護されている
請求項１ないし６のいずれかに記載のチャンバ。
【請求項８】
前記ポンプ（Ｋ）の入力および／または出力には、最小規定容量を有する部分が設けられている
請求項２または３に記載のチャンバ。
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
光源を駆動するためのデバイスであって、前記デバイスは、
前記光源を駆動するためのドライバであって、前記ドライバは第１のモード及び第２のモードを含む様々なモードで動作可能であり、前記第１のモードは、前記光源からのフィードバック情報を使用しないプリセットモードであり、前記第２のモードは、前記光源からのフィードバック情報が使用されるフィードバックモードである、前記ドライバと、
コントローラであって、
前記コントローラは、前記第１のモード及び前記第２のモードにおいて前記ドライバを動作し、
前記コントローラは、入力電圧の値が、前記デバイスが直列の組み合わせで配置されていることを示すよう閾値よりも小さい場合に前記ドライバが前記第１のモードで動作され、前記入力電圧の値が、前記デバイスが単独で又は並列の組み合わせで使用されていることを示すよう前記閾値よりも大きい場合に前記ドライバが前記第２のモードで動作されるように、前記デバイスに供給される前記入力電圧の値の検出に応答する前記コントローラと、
を含む、デバイス。
【請求項２】
前記ドライバが、前記プリセットモードにおいて一定の導通時間で動作され、前記フィードバックモードにおいて前記光源から得られたフィードバック情報によって動作されるスイッチを含む、請求項１に記載のデバイス。
【請求項３】
前記コントローラが、起動時の時間間隔の間、前記ドライバを非アクティブ状態に保つ、請求項１に記載のデバイス。
【請求項４】
前記デバイスは、前記入力電圧の値が直流電圧の値であり、交流電圧を直流電圧に整流するための整流回路を、更に含む、請求項１に記載のデバイス。
【請求項５】
前記コントローラが、前記入力電圧の値を閾値と比較し、比較結果に応じて前記比較結果を定義する第１の制御信号を生成する、比較回路を含む、請求項１に記載のデバイス。
【請求項６】
前記コントローラは、前記ドライバが非活動状態に保たれる起動時からの時間間隔を定義する第２の制御信号を前記入力電圧の存在に応じて生成するトリガ回路を含む、請求項１に記載のデバイス。
【請求項７】
光源を含み、請求項１に記載のデバイスを更に含む、ランプ。
【請求項８】
前記光源及び前記ドライバが、前記プリセットモードにおいて実質的に一定の抵抗負荷動作を示す、請求項７に記載のランプ。
【請求項９】
前記光源が発光ダイオード回路を含む、請求項７に記載のランプ。
【請求項１０】
前記ランプがレトロフィット管の形式である、請求項９に記載のランプ。
【請求項１１】
光源を駆動するためのドライバを制御するための方法であって、前記ドライバは第１のモード及び第２のモードを含む様々なモードで動作可能であり、前記方法は、
前記ドライバに供給される入力電圧の値の検出に応じて、前記ドライバを前記第１又は前記第２のモードに移行するステップを含み、前記入力電圧の値が閾値よりも小さい場合に前記ドライバが前記第１のモードに移行され、前記入力電圧の値が閾値よりも大きい場合に前記ドライバが前記第２のモードに移行され、前記第１のモードは、前記光源からのフィードバック情報を使用しないプリセットモードを含み、前記第２のモードは、前記光源からのフィードバック情報が使用されるフィードバックモードを含む、方法。
【誤訳訂正書】
【提出日】平成30年3月23日(2018.3.23)
【誤訳訂正１】
【訂正対象書類名】明細書
【訂正対象項目名】００３９
【訂正方法】変更
【訂正の内容】
【００３９】
第１の部材及び第２の部材の材料厚さは、好ましくは０．１ｍｍから４ｍｍまで、特に好ましくは０．２ｍｍから２ｍｍまで、特に好ましくは０．５ｍｍから１ｍｍまでである。当該材料厚さは好ましくは一定であり、これにより各部材の製造を簡単化できる点で特に有利である。
【誤訳訂正２】
【訂正対象書類名】明細書
【訂正対象項目名】００７４
【訂正方法】変更
【訂正の内容】
【００７４】
第１の部材２は、ブリッジ形状を有する。第１の部材２は、その下側にそれぞれ１つずつの平坦な脚部領域を有する。脚部領域間にブリッジ領域が配置されている。はんだ材を用いた導電性構造との接続のために接続面が設けられており、ブリッジ領域にははんだ材は施与されない。第１の部材２は、ブリッジ領域において２４ｍｍの長さと４ｍｍの幅とを有し、脚部領域において８ｍｍの幅を有する。第１の部材２の材料厚さは０．８ｍｍである。
【誤訳訂正３】
【訂正対象書類名】明細書
【訂正対象項目名】００７６
【訂正方法】変更
【訂正の内容】
【００７６】
第２の部材３は、第１の部材２の表面でブリッジ領域に配置されている。ここでは、第２の部材３は、第１の部材２の一方の外縁と同一平面になり、かつ、各脚部領域の延長部の方向で向かい側の外縁を越えるように配向される。第２の部材３は、０．８ｍｍの材料厚さ、６．３ｍｍの幅及び２７ｍｍの長さを有する。
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
１つ又は複数の照明装置を制御して環境に光を放射するための出力部と、
ユーザと無線通信装置との間の第１の対話に基づいて、当該無線通信装置から送信される当該無線通信装置の位置及び／又は向きの情報並びにユーザ定義パラメータを受信するための１つ又は複数の入力部と、を含むコントローラであって、
当該コントローラは、
受信された前記位置及び／又は向きの情報に基づいて前記無線通信装置が向けられている前記環境におけるスポットを決定し、
第２の対話の間、受信された位置及び／又は向きの情報を用いて、開始点と終了点との間の追跡された前記スポットの動きによって画定される前記環境における領域を計算することによって、前記位置及び／又は向きの情報に基づいて前記無線通信装置の動きを検出し、且つ前記スポットの前記動きを追跡し、受信された前記ユーザ定義パラメータの少なくとも１つに基づいて前記１つ又は複数の照明装置を制御して、前記領域における光を変更する、
コントローラ。
【請求項２】
前記受信された位置及び／又は向きの情報に加えて前記ユーザ定義パラメータのうちの１つ又は複数に基づいて、前記無線通信装置が向けられている前記環境におけるスポットを決定する、請求項１に記載のコントローラ。
【請求項３】
前記無線通信装置が向けられている前記環境における前記スポットを決定するために使用される１つ又は複数の前記ユーザ定義パラメータは、前記スポットのサイズ及び／又は形状を含む、請求項２に記載のコントローラ。
【請求項４】
受信される前記ユーザ定義パラメータのうちの少なくとも１つは、前記１つ又は複数の照明装置によって前記領域に放射される光がどのように変更されるかを示すモードを含む、請求項１乃至３の何れか一項に記載のコントローラ。
【請求項５】
前記受信されるユーザ定義パラメータのうちの少なくとも１つは、前記１つ又は複数の照明装置によって前記領域に放射される光の１つ又は複数の属性を含む、請求項１乃至４の何れか一項に記載のコントローラ。
【請求項６】
前記１つ又は複数の属性は、前記１つ又は複数の照明装置によって前記領域に放射される光の色を含む、請求項５に記載のコントローラ。
【請求項７】
前記１つまたは複数の属性は、前記１つ又は複数の照明装置によって前記領域に放射される前記光の柔らかさを含む、請求項５に記載のコントローラ。
【請求項８】
前記１つ又は複数の照明装置が前記領域に光を放射するために前記環境内に配置されているという判断に基づいて、制御されるべき前記１つ又は複数の照明装置を選択する、請求項１乃至７の何れか一項に記載のコントローラ。
【請求項９】
前記１つ又は複数の照明装置の位置情報を記憶するメモリに結合され、前記領域と前記位置情報との比較に基づいて前記判断を行う、請求項８に記載のコントローラ。
【請求項１０】
前記１つ又は複数の照明装置の能力に基づいて、制御されるべき前記１つ又は複数の照明装置を選択する、請求項１乃至９の何れか一項に記載のコントローラ。
【請求項１１】
請求項１乃至１０の何れか一項に記載のコントローラと、
環境に光を放射するように動作可能な、前記コントローラに結合された１つ又は複数の照明装置と、
前記ユーザ定義パラメータを受信する、前記コントローラに結合された無線受信機と、
を備える、照明システム。
【請求項１２】
入力部が前記無線受信機に結合され、当該無線受信機は、前記無線通信装置から送信される当該無線通信装置の位置及び／又は向きの情報を受信する、請求項１１に記載の照明システム。
【請求項１３】
前記入力部に結合されるセンサを更に含み、前記センサは前記無線通信装置の位置及び／又は向きの情報を検出する、請求項１１に記載の照明システム。
【請求項１４】
前記センサは、相補型金属酸化膜半導体画像センサ、電荷結合素子画像センサ、及び飛行時間センサの１つ又は任意の組み合わせを含む、請求項１３に記載の照明システム。
【請求項１５】
環境に光を放射するように動作可能な１つ又は複数の照明装置を備えた照明システムを制御するためのコンピュータプログラムであって、前記コンピュータプログラムは、コンピュータ可読媒体上に具現化されたコードを含み、及び前記コンピュータプログラムは、プロセッサ上で実行される時、
ユーザと前記無線通信装置との間の第１の対話に基づいて、当該無線通信装置から送信される当該無線通信装置の位置及び／又は向きの情報並びにユーザ定義パラメータを受信し、
受信された前記位置及び／又は向きの情報に基づいて前記無線通信装置が向けられている前記環境におけるスポットを決定し、
第２の対話の間、受信された位置及び／又は向きの情報を用いて、開始点と終了点との間の追跡された前記スポットの動きによって画定される前記環境における領域を計算することによって、前記位置及び／又は向きの情報に基づいて前記無線通信装置の動きを検出し、且つ前記スポットの前記動きを追跡し、及び受信された前記ユーザ定義パラメータの少なくとも１つに基づいて前記１つ又は複数の照明装置を制御して、前記領域における光を変更する、
コンピュータプログラム。
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
物体の深度情報を含む高解像度画像を生成する方法であって、
第1の基準画像および第2の基準画像を第1の解像度から第2の解像度にダウンサンプリングするステップであって、前記第1の解像度が前記第2の解像度よりも高く、前記第1の基準画像および前記第2の基準画像がステレオ画像ペアである、ステップと、
前記ダウンサンプリングされたステレオ画像ペアを使用して大域的最小化技法に基づいて前記第2の解像度で深度マップを生成するステップであって、前記大域的最小化技法が、前記ダウンサンプリングされたステレオ画像ペア全体の各画像を使用して前記深度マップを生成する、ステップと、
前記第2の解像度で前記深度マップのバイリニア補間を実施することによって、前記深度マップを前記第2の解像度から前記第1の解像度にアップサンプリングして、前記第1の解像度のアップサンプリングされた深度マップを生成するステップと、
誘導フィルタを使用して、前記アップサンプリングされた深度マップの等高線を前記第1の基準画像の等高線に位置合せするステップと
を含む方法。
【請求項２】
前記第2の解像度が、前記第1の解像度の多くても4分の1のピクセルを含む請求項1に記載の方法。
【請求項３】
前記第2の解像度が、前記第1の解像度の4分の1または16分の1のピクセルを含む請求項2に記載の方法。
【請求項４】
前記ダウンサンプリングされたステレオ画像ペアを使用して大域的最小化技法に基づいて前記第2の解像度で深度マップを生成する前記ステップが、大域的最小化を使用して深度マップを生成するために、漸進的に大きくなる画像に対して反復プロセスを使用して深度マップを生成するステップを含む請求項1に記載の方法。
【請求項５】
大域的最小化技法に基づいて前記第2の解像度で深度マップを生成する前記ステップが、大域的最小化技法に基づいてエネルギー関数を最小化することによって深度マップを生成するステップを含む請求項1に記載の方法。
【請求項６】
前記第1の基準画像および前記第2の基準画像が、互いから既知の距離にあるカメラによって同時に取得される請求項1に記載の方法。
【請求項７】
物体の深度情報を含む高解像度画像を生成するためのデバイスであって、
第1の基準画像および第2の基準画像を第1の解像度から第2の解像度にダウンサンプリングするための手段であって、前記第1の解像度が前記第2の解像度よりも高く、前記第1の基準画像および前記第2の基準画像がステレオ画像ペアを含む、手段と、
前記ダウンサンプリングされたステレオ画像ペアを使用して大域的最小化技法に基づいて前記第2の解像度で深度マップを生成するための手段であって、前記大域的最小化技法が、前記ダウンサンプリングされたステレオ画像ペア全体の各画像を使用して前記深度マップを生成する、手段と、
前記第2の解像度で前記深度マップのバイリニア補間を実施することによって、前記深度マップを前記第2の解像度から前記第1の解像度にアップサンプリングして、前記第1の解像度のアップサンプリングされた深度マップを生成するための手段と、
誘導フィルタを使用して、前記アップサンプリングされた深度マップの等高線を前記第1の基準画像の等高線に位置合せするための手段と
を備えるデバイス。
【請求項８】
前記第2の解像度が、前記第1の解像度の多くても4分の1のピクセルを含む請求項7に記載のデバイス。
【請求項９】
前記第2の解像度が、前記第1の解像度の4分の1または16分の1のピクセルを含む請求項8に記載のデバイス。
【請求項１０】
前記ダウンサンプリングされたステレオ画像ペアを使用して大域的最小化技法に基づいて前記第2の解像度で深度マップを生成するための手段が、大域的最小化を使用して深度マップを生成するために、漸進的に大きくなる画像に対して反復プロセスを使用して深度マップを生成するための手段を備える請求項7に記載のデバイス。
【請求項１１】
大域的最小化技法に基づいて前記第2の解像度で深度マップを生成するための手段が、大域的最小化技法に基づいてエネルギー関数を最小化することによって深度マップを生成するための手段を備える請求項7に記載のデバイス。
【請求項１２】
第1の基準画像および第2の基準画像をそれぞれ同時に取得するように構成された、互いから既知の距離にある、画像を取得するための第1の手段と、画像を取得するための第2の手段とをさらに備える請求項7に記載のデバイス。
【請求項１３】
画像を取得するための第1の手段と、画像を取得するための第2の手段とがそれぞれ、互いに対して同一のネイティブ解像度を有する請求項12に記載のデバイス。
【請求項１４】
実行されたとき、装置に、請求項1乃至6のいずれか1項に記載の方法を行わせるコードを記録した非一時的コンピュータ可読記録媒体。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
アプリケーションサーバ環境で複数のＪａｖａ（登録商標）ネーミングおよびディレクトリインターフェイス（ＪＮＤＩ）ツリーをサポートするためのシステムであって、
１つ以上のコンピュータを備え、各コンピュータは１つ以上のマイクロプロセッサを含み、前記システムはさらに、
前記コンピュータ上のアプリケーションサーバ環境を備え、前記アプリケーションサーバ環境は、複数のパーティションを有するドメインと、パーティションルートネーミングノードのコレクションを維持するグローバルＪＮＤＩツリーとを含み、各パーティションネーミングノードはパーティションＪＮＤＩツリーと関連付けられており、
前記システムは、特定のパーティション内のリソースにアクセスする要求をアプリケーションから受信すると、
前記特定のパーティションと関連付けられた最初のＪＮＤＩコンテキストを作成し、
前記アプリケーションからのＪＮＤＩオペレーションを前記特定のパーティションと関連付けられたＪＮＤＩツリーに委譲するように動作する、システム。
【請求項２】
前記システムはさらに、前記要求からの情報と、前記パーティションルートネーミングノードのコレクションとを調べて、前記パーティションＪＮＤＩツリーを識別するように動作する、請求項１に記載のシステム。
【請求項３】
前記要求からの情報は、前記特定のパーティションについての情報を指定するプロバイダＵＲＬを含む、請求項１または２に記載のシステム。
【請求項４】
パーティション内にデプロイされるリソースは、関連付けられたパーティションＪＮＤＩツリーにバインドされ、関連付けられた前記ＪＮＤＩツリー内の各ノードはパーティション認識型である、請求項１から３のいずれか１項に記載のシステム。
【請求項５】
前記最初のコンテキストは、一旦作成されると、１つ以上の他のアプリケーションによって再利用されるためにコンテキストオブジェクトとして維持され、前記アプリケーションからのＪＮＤＩオペレーションは、前記コンテキストオブジェクトと関連付けられた前記パーティションに向けられる、請求項１から４のいずれか１項に記載のシステム。
【請求項６】
前記コンテキストオブジェクトと前記パーティションとの関連付けは、前記コンテキストオブジェクトを前記パーティションのネームスペースと関連付けることによって維持される、請求項５に記載のシステム。
【請求項７】
複数のコールバック機能が前記ＪＮＤＩのサブシステム内に提供されて、前記ＪＮＤＩオペレーションを前記パーティションのコンポーネント呼出しコンテキストにおいて処理することを可能にする、請求項１から６のいずれか１項に記載のシステム。
【請求項８】
アプリケーションサーバ環境で複数のＪａｖａネーミングおよびディレクトリインターフェイス（ＪＮＤＩ）ツリーをサポートするための方法であって、
アプリケーションサーバ環境でドメインを提供することを備え、前記ドメインは、複数のパーティションと、パーティションルートネーミングノードのコレクションを維持するグローバルＪＮＤＩツリーとを含み、各パーティションルートネーミングノードは、パーティションに特有のパーティションＪＮＤＩツリーと関連付けられており、前記方法はさらに、
特定のパーティション内のリソースにアクセスする要求をアプリケーションから受信することと、
前記特定のパーティションと関連付けられた最初のＪＮＤＩコンテキストを作成することと、
前記アプリケーションからのＪＮＤＩオペレーションを前記特定のパーティションと関連付けられたＪＮＤＩツリーに委譲することとを備える、方法。
【請求項９】
前記方法はさらに、前記要求からの情報と、前記パーティションルートネーミングノードのコレクションとを調べて、前記パーティションＪＮＤＩツリーを識別することを備える、請求項８に記載の方法。
【請求項１０】
前記要求からの情報は、前記特定のパーティションについての情報を指定するプロバイダＵＲＬを含む、請求項８または９に記載の方法。
【請求項１１】
パーティション内にデプロイされるリソースは、関連付けられたパーティションＪＮＤＩツリーにバインドされ、関連付けられた前記ＪＮＤＩツリー内の各ノードはパーティション認識型である、請求項８から１０のいずれか１項に記載の方法。
【請求項１２】
前記最初のコンテキストは、一旦作成されると、１つ以上の他のアプリケーションによって再利用されるためにコンテキストオブジェクトとして維持され、前記アプリケーションからのＪＮＤＩオペレーションは、前記コンテキストオブジェクトと関連付けられた前記パーティションに向けられる、請求項８から１１のいずれか１項に記載の方法。
【請求項１３】
前記コンテキストオブジェクトと前記パーティションとの関連付けは、前記コンテキストオブジェクトを前記パーティションのネームスペースと関連付けることによって維持される、請求項１２に記載の方法。
【請求項１４】
複数のコールバック機能が前記ＪＮＤＩのサブシステム内に提供されて、前記ＪＮＤＩオペレーションを前記パーティションのコンポーネント呼出しコンテキストにおいて処理することを可能にする、請求項８から１３のいずれか１項に記載の方法。
【請求項１５】
機械読取可能なフォーマットの命令を備えるコンピュータプログラムであって、前記命令は、コンピュータシステムによって実行されると、前記コンピュータシステムに請求項８から１４のいずれか１項に記載の方法を実行させる、コンピュータプログラム。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
（１）天然膜貫通タンパク質のαヘリックス構造を予測して第１の膜貫通領域を同定する工程、
（２）ロイシン（Ｌ）、イソロイシン（Ｉ）、バリン（Ｖ）およびフェニルアラニン（Ｆ）からなる群から選択される複数の疎水性アミノ酸を、Ｑ（または代わりとしてＮまたはＳ）、Ｔ（または代わりとしてＮまたはＳ）、Ｔ（または代わりとしてＮまたはＳ）およびＹからなる群から選択される非イオン性の極性アミノ酸でそれぞれ修飾して修飾された第１の膜貫通配列を得る工程、
（３）（２）の前記第１の修飾された膜貫通配列のαヘリックス構造の傾向をスコア化して構造スコアを得る工程、
（４）（２）の前記第１の修飾された膜貫通配列の水溶性予測をスコア化して溶解性スコアを得る工程、
（５）工程（２）〜（４）を繰り返して推定上水溶性である第１の修飾された膜貫通変異体の第１のライブラリーを得る工程、
（６）前記第１のライブラリー内の推定上水溶性である第１の修飾された膜貫通変異体のそれぞれの構造スコアおよび溶解性スコアを比較し、好ましくは前記推定上水溶性である第１の修飾された膜貫通変異体を、前記構造スコアおよび溶解性スコアを用いてランク付けする工程、
（７）複数の推定上水溶性である第１の修飾された膜貫通変異体を選択して推定上水溶性である第１の修飾された膜貫通変異体の第２のライブラリーを得る工程、
（８）前記タンパク質の第２、第３、第４、第５、第６、第７または好ましくは全ての膜貫通領域のために（１）〜（７）を繰り返す工程、
（９）工程（１）〜（８）において修飾されたどの膜貫通領域にも含まれず、かつ前記タンパク質の任意の細胞外または細胞内ドメインを含む前記タンパク質のアミノ酸配列を同定する工程、および
（１０）推定上水溶性である修飾された膜貫通変異体のそれぞれおよび工程（９）で同定されたアミノ酸配列のそれぞれの核酸配列を同定する工程
の全てまたは実質的に全てを含む、水溶性膜貫通タンパク質の設計方法。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
装置（１０、１３０）により遂行され、第１のデータ（Ｄ１）を圧縮し、対応する圧縮された第２のデータ（Ｄ２）を生成する方法であって、
（ｉ）前記装置のコンピュータハードウェアを用いて前記第１のデータをデータブロック（１１０、ＤＢ）の構成に配置することと；
（ｉｉ）前記データブロック（１１０、ＤＢ）を記述する１つ以上のパラメータを計算すること、ただし前記１つ以上のパラメータは、前記データブロック（１１０、ＤＢ）のサブ部分を記述する複数のサブ部分パラメータ（Ａ１、Ａ２、…、ＡＮ）を有し、該複数のサブ部分パラメータ（Ａ１、Ａ２、…、ＡＮ）は、ＭＡＲ（振幅比の平均）、平均、標準偏差、分散、振幅、中央値、最頻値、最小値、最大値、ＣＲＣ、ハッシュ、レベル量の少なくとも１つを含む、前記計算することと；
（ｉｉｉ）前記１つ以上のパラメータに関連するカテゴリに基づいて、１つ以上のデータベースを検索し、前記１つ以上のデータベース（１３０）内で、前記データブロック（１１０、ＤＢ）と対応する要素（１２０、Ｅ）とをマッチングさせること、但し前記データブロック（１１０、ＤＢ）は、前記対応する要素（１２０、Ｅ）に、前記複数のサブ部分パラメータ（Ａ１、Ａ２、…、ＡＮ）を利用することによって対応させられることと；
（ｉｖ）マッチングした前記データブロックと前記要素に対し、参照値（Ｒ）を含むデータセットを生成すること、前記参照値は前記要素を識別し、かつ、前記カテゴリを含む、前記生成することと；
（ｖ）前記カテゴリを含む前記参照値を含む前記データセット含めて、前記圧縮された第２のデータを生成することと；
を含むことを特徴とする方法。
【請求項２】
前記（ｉｉｉ）において、１つ以上の変換が適用される前記データブロック（ＤＢ）に対して検索が行われ、前記１つ以上の変換を示す情報が、前記圧縮された第２のデータに含められることを特徴とする、請求項１に記載の方法。
【請求項３】
前記１つ以上の変換は、反転変換、回転変換、拡大縮小変換、並べ替え変換の少なくとも１つを含むことを特徴とする、請求項１または２に記載の方法。
【請求項４】
前記データブロックおよび前記要素の形状を記述する１つ以上のパラメータの関数として、前記データブロックを対応する要素（Ｅ、１２０）にマッチングさせることを特徴とする、請求項１から３のいずれかに記載の方法。
【請求項５】
前記第１のデータを圧縮し、前記第１のデータは、音声データ、動画データ、画像データ、グラフィクスデータ、地震データ、心電図（Electrocardiogram：ＥＣＧ）測定データ、数字データ、文字データ、テキストデータ、Ｅｘｃｅｌタイプの表データ、ＡＳＣＩＩデータ、Ｕｎｉｃｏｄｅ文字データ、バイナリデータ、ニュースデータ、コマーシャルデータ、多次元データの少なくとも１つを含むことを特徴とする、請求項１から４のいずれかに記載の方法。
【請求項６】
関連付けられた前記パラメータ（ｐ１、ｐ２、…）は、反転変換、回転変換、拡大縮小変換、並べ替え変換の少なくとも１つを記述することを特徴とする、請求項１から５のいずれかに記載の方法。
【請求項７】
前記複数のサブ部分パラメータ（Ａ１、Ａ２、…、ＡＮ）を、複数のルックアップテーブルを介して処理することによって、前記データブロックをその要素（Ｅ、１２０）とマッチングさせることを特徴とする、請求項１から６のいずれかに記載の方法。
【請求項８】
前記要素およびその関連付けられた参照値（Ｒ）を用いることで、前記データブロックを表現するために必要であって前記データブロックおよび／または前記要素に適用可能な１つ以上の変換に実質的に関係なく、前記データブロックをその要素（Ｅ、１２０）とマッチングさせる、請求項１から７のいずれかに記載の方法。
【請求項９】
装置の処理ハードウェアによって実行されると、前記装置に、請求項１から８のいずれかに記載の方法を遂行させるように構成されるコンピュータ可読命令を含む、コンピュータプログラム。
【請求項１０】
処理手段及び記憶手段を備える装置であって、前記記憶手段はプログラム命令を格納し、前記プログラム命令は、前記処理手段に実行されると、前記装置に、請求項１から８のいずれかに記載の方法を遂行させるように構成される、装置。
【請求項１１】
装置（３０、１３０）により遂行され、第２のデータ（Ｄ２）を伸張し、対応する伸張された第３のデータ（Ｄ３）を生成する方法であって、
（ｉ）前記第２のデータから、カテゴリを含む１つ以上の参照値（Ｒ）を抽出すること、ただし前記カテゴリは、データブロック（１１０、ＤＢ）を記述する１つ以上のパラメータに関し、前記１つ以上のパラメータは、前記データブロック（１１０、ＤＢ）のサブ部分を記述する複数のサブ部分パラメータ（Ａ１、Ａ２、…、ＡＮ）を有し、該複数のサブ部分パラメータ（Ａ１、Ａ２、…、ＡＮ）は、ＭＡＲ（振幅比の平均）、平均、標準偏差、分散、振幅、中央値、最頻値、最小値、最大値、ＣＲＣ、ハッシュ、レベル量の少なくとも１つを含む、前記抽出することと；
（ｉｉ）前記１つ以上の参照値に対応する１つ以上の要素（Ｅ、１２０）に関する前記カテゴリを利用することと；
（ｉｉｉ）前記（ｉｉ）からの前記カテゴリに当てはまる前記１つ以上の要素を照合して、対応するデータブロック構成（ＤＢ、１１０）を生成することと；
（ｉｖ）前記（ｉｉｉ）からの前記データブロック構成を含む前記伸張された第３のデータを出力する、
ことを特徴とする方法。
【請求項１２】
前記第２のデータを伸張し、前記第２のデータは、音声データ、動画データ、画像データ、グラフィクスデータ、地震データ、心電図（Electrocardiogram：ＥＣＧ）測定データ、数字データ、文字データ、テキストデータ、Ｅｘｃｅｌタイプの表データ、ＡＳＣＩＩデータ、Ｕｎｉｃｏｄｅ文字データ、バイナリデータ、ニュースデータ、コマーシャルデータ、多次元データの少なくとも１つを含むことを特徴とする、請求項１１に記載の方法。
【請求項１３】
関連付けられたパラメータ（ｐ１、ｐ２、…）は、反転変換、回転変換、拡大縮小変換、並べ替え変換の少なくとも１つを記述することを特徴とする、請求項１１または１２に記載の方法。
【請求項１４】
装置の処理ハードウェアによって実行されると、前記装置に、請求項１１から１３のいずれかに記載の方法を遂行させるように構成されるコンピュータ可読命令を含む、コンピュータプログラム。
【請求項１５】
処理手段及び記憶手段を備える装置であって、前記記憶手段はプログラム命令を格納し、前記プログラム命令は、前記処理手段に実行されると、前記装置に、請求項１１から１３のいずれかに記載の方法を遂行させるように構成される、装置。
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
サーバにおいて、分類子モデルを生成する方法であって、
共通特徴モデルを複数のユーザデバイスに分散することと、
前記共通特徴モデル上で複数の分類子をトレーニングすることと、
前記複数の分類子のうちの第１の分類子を前記複数のユーザデバイスのうちの第１のユーザに、および前記複数の分類子のうちの第２の分類子を前記複数のユーザデバイスのうちの第２のユーザに分散すること、前記第１の分類子は、前記第２の分類子と異なる、と
を備える、方法。
【請求項２】
前記複数の分類子のうちの少なくとも１つは、少なくとも１つのエンティティから取得されたラベル付けされたデータのセット上でトレーニングされる、
請求項１に記載の方法。
【請求項３】
前記少なくとも１つのエンティティは、指定されたユーザを備える、
請求項２に記載の方法。
【請求項４】
前記少なくとも１つのエンティティから前記取得されたラベル付けされたデータのセット上で前記トレーニングされた分類子の各々にメトリックを提供することをさらに備える、
請求項２に記載の方法。
【請求項５】
前記メトリックは、分類精度、またはラベル付けされた画像の数に関する情報を備える、
請求項４に記載の方法。
【請求項６】
遠隔デバイス上のデータから計算された少なくとも１つの特徴を受信することと、
前記少なくとも１つの特徴に少なくとも部分的に基づいて、前記遠隔デバイス上の前記データを分類するための少なくとも１つの分類子を決定することと、
少なくとも１つの分類子の表示を前記遠隔デバイスに分散することと
をさらに備える、請求項１に記載の方法。
【請求項７】
遠隔デバイス上のデータから計算された特徴を受信することと、
前記受信された特徴に少なくとも部分的に基づいて分類を計算することと、
前記分類を前記遠隔デバイスに送信することと
をさらに備える、請求項１に記載の方法。
【請求項８】
ラベル付けされたデータの１つまたは複数のセットに関連付けられるクラスの分類を行うように構成された、組み合わされた分類子を生成するために、前記第１の分類子と前記第２の分類子を組み合わせることと、
前記組み合わされた分類子を前記複数のユーザデバイスのうちの少なくとも１人に分散することと
をさらに備える、請求項１に記載の方法。
【請求項９】
前記複数の分類子のうちの少なくとも１つは、少なくとも１つのエンティティからのフィードバックに少なくとも部分的に基づいてトレーニングされる、
請求項１に記載の方法。
【請求項１０】
分類子モデルを生成するためのサーバであって、
共通特徴モデルを複数のユーザデバイスに分散するための手段と、
前記共通特徴モデル上で複数の分類子をトレーニングするための手段と、
前記複数の分類子のうちの第１の分類子を前記複数のユーザデバイスのうちの第１のユーザに、および前記複数の分類子のうちの第２の分類子を前記複数のユーザデバイスのうちの第２のユーザに分散するための手段、前記第１の分類子は、前記第２の分類子とは異なる、と
を備える、サーバ。